(57)【要約】【課題】コンパクトで外観がすっきりとしたファン組立体を提供する。【解決手段】送風を生じさせるファン組立体（１０）がスタンド（１２）に取り付けられた空気出口（１４）を有する。スタンド（１２）は、ベース（３８，４０）と、ベース（３８，４０）に対して傾動可能な本体（４２）と、本体をベース上で保持するインターロック手段（１４０，１４２，１８０，１８２）と、を有する。インターロック手段は、本体が非傾動位置にあるとき、ベース及び本体の外面によって包囲される。【選択図】図１
2011252501.tif 000002
【特許請求の範囲】
【請求項１】
送風を生じさせるファン組立体であって、スタンドに取り付けられた空気出口を有し、前記スタンドは、ベースと、前記ベースに対して非傾動位置から傾動位置に傾動可能な本体とを有し、ファン組立体は、前記本体を前記ベース上に保持するインターロック手段を有し、前記インターロック手段は、前記本体が非傾動位置にあるとき、前記ベース及び前記本体の外面によって包囲される、ファン組立体。
【請求項２】
前記インターロック手段を互いに押圧して前記傾動位置からの前記本体の運動に抵抗する付勢手段を有する、請求項１記載のファン組立体。
【請求項３】
前記インターロック手段は、前記ベースに設けられた第１の複数個のロック部材と、前記本体に設けられた第２の複数個のロック部材とを有し、前記第２の複数個のロック部材は、前記第１の複数個のロック部材によって保持される、請求項１または２のうちいずれか一に記載のファン組立体。
【請求項４】
前記第１の複数個のロック部材は、前記ベースの湾曲上面に連結している、請求項３に記載のファン組立体。
【請求項５】
前記ベースの前記上面は、凹状である、請求項４に記載のファン組立体。
【請求項６】
前記第１の複数個のロック部材は、前記本体を前記ベース上に保持する複数のレールを有する、請求項３〜５のうちいずれか一に記載のファン組立体。
【請求項７】
前記レールの各々は、前記ベースに対する前記本体の移動方向に延びる、請求項６に記載のファン組立体。
【請求項８】
前記複数のレールは、一対の比較的短い外側レールの間に位置する一対の比較的長い内側レールを含む、請求項６又は７に記載のファン組立体。
【請求項９】
前記第２の複数個のロック部材は、各々が前記ベースのそれぞれのレールの下に少なくとも部分的に位置する複数のランナを含む、請求項６〜８のうちいずれか一に記載のファン組立体。
【請求項１０】
前記ランナの各々は、前記ベースに対する前記本体の移動方向に延びる、請求項９に記載のファン組立体。
【請求項１１】
前記第２の複数個のロック部材は、前記本体の湾曲したベースに連結している、請求項３〜１０のうちいずれか一に記載のファン組立体。
【請求項１２】
前記本体の前記湾曲したベースは、凸状である、請求項１１に記載のファン組立体。
【請求項１３】
前記インターロック手段は、前記ベースに連結された第１の複数個のインターロックフランジと、前記本体に連結された第２の複数個のインターロックフランジとを有する、請求項１〜１２のうちいずれか一に記載のファン組立体。
【請求項１４】
前記インターロックフランジは、湾曲している、請求項１３に記載のファン組立体。
【請求項１５】
前記スタンドは、完全傾動位置を越える前記ベースに対する前記本体の運動を阻止する手段を有する、請求項１〜１４のうちいずれか一に記載のファン組立体。
【請求項１６】
前記運動阻止手段は、前記本体が完全傾動位置にあるとき、前記本体から垂下していて、前記ベースの一部に係合する停止部材を含む、請求項１５に記載のファン組立体。
【請求項１７】
前記停止部材は、前記インターロック手段の一部に係合して、完全傾動位置を越える前記ベースに対する前記本体の運動を阻止するように構成されている、請求項１６に記載のファン組立体。
【請求項１８】
前記スタンドは、前記ファン組立体中に空気流を生じさせる手段を有する、請求項１〜１７のうちいずれか一に記載のファン組立体。
【請求項１９】
前記空気流を生じさせる手段は、羽根車と、前記羽根車を駆動するモータと、を含む、請求項１８に記載のファン組立体。
【請求項２０】
前記空気流を生じさせる手段は、前記羽根車の下流側に位置するディフューザを含む、請求項１９に記載のファン組立体。
【請求項２１】
前記羽根車は、混流型羽根車である、請求項１９又は２０に記載のファン組立体。
【請求項２２】
前記ファン組立体中に空気流を生じさせる前記手段は、前記スタンドの前記本体内に配置されている、請求項１８〜２１のうちいずれか一に記載のファン組立体。
【請求項２３】
前記本体は、前記空気流を生じさせる手段によって前記ファン組立体中に空気が引き込まれる少なくとも１つの空気入口を含む、請求項２２に記載のファン組立体。
【請求項２４】
前記スタンドの前記ベースは、前記ファン組立体を制御する制御手段を有する、請求項１〜２３のうちいずれか一に記載のファン組立体。
【請求項２５】
前記ベース及び前記本体の前記外面は、実質的に円筒形である、請求項１〜２４のうちいずれか一に記載のファン組立体。
【請求項２６】
ベースと、前記ベースに対して非傾動位置から傾動位置に傾動可能な本体と、前記本体を前記ベース上に保持するインターロック手段と、を有し、前記インターロック手段は、前記本体が非傾動位置にあるとき、前記ベース及び前記本体の外面によって包囲される、スタンド。
【請求項２７】
前記インターロック手段を互いに押圧して前記傾動位置からの前記本体の運動に抵抗する付勢手段を有する、請求項２６記載のスタンド。
【請求項２８】
前記インターロック手段は、前記ベースに設けられた第１の複数個のロック部材と、前記本体に設けられた第２の複数個のロック部材とを有し、前記第２の複数個のロック部材は、前記第１の複数個のロック部材によって保持される、請求項２６または２７のうちいずれか一に記載のスタンド。
【請求項２９】
前記第１の複数個のロック部材は、前記ベースの湾曲上面に連結している、請求項２８に記載のスタンド。
【請求項３０】
前記ベースの前記上面は、凹状である、請求項２９に記載のスタンド。
【請求項３１】
前記第１の複数個のロック部材は、前記本体を前記ベース上に保持する複数のレールを有する、請求項２８〜３０のうちいずれか一に記載のスタンド。
【請求項３２】
前記レールの各々は、前記ベースに対する前記本体の移動方向に延びる、請求項３１に記載のスタンド。
【請求項３３】
前記複数のレールは、一対の比較的短い外側レールの間に位置する一対の比較的長い内側レールを含む、請求項３１又は３２に記載のスタンド。
【請求項３４】
前記第２の複数個のロック部材は、各々が前記ベースのそれぞれのレールの下に少なくとも部分的に位置する複数のランナを含む、請求項３１〜３３のうちいずれか一に記載のスタンド。
【請求項３５】
前記ランナの各々は、前記ベースに対する前記本体の移動方向に延びる、請求項３４に記載のスタンド。
【請求項３６】
前記第２の複数個のロック部材は、前記本体の湾曲したベースに連結している、請求項２８〜３５のうちいずれか一に記載のスタンド。
【請求項３７】
前記本体の前記湾曲したベースは、凸状である、請求項３６に記載のスタンド。
【請求項３８】
前記インターロック手段は、前記ベースに連結された第１の複数個のインターロックフランジと、前記本体に連結された第２の複数個のインターロックフランジとを有する、請求項２６〜３７のうちいずれか一に記載のスタンド。
【請求項３９】
前記インターロックフランジは、湾曲している、請求項３８に記載のスタンド。
【請求項４０】
完全傾動位置を越える前記ベースに対する前記本体の運動を阻止する手段を有する、請求項２６〜３９のうちいずれか一に記載のスタンド。
【請求項４１】
前記運動阻止手段は、前記本体が完全傾動位置にあるとき、前記本体から垂下していて、前記ベースの一部に係合する停止部材を含む、請求項４０に記載のスタンド。
【請求項４２】
前記停止部材は、前記インターロック手段の一部に係合して、完全傾動位置を越える前記ベースに対する前記本体の運動を阻止するように構成されている、請求項４１に記載のスタンド。
【請求項４３】
前記ベース及び前記本体の前記外面は、実質的に円筒形である、請求項２６〜４２のうちいずれか一に記載のスタンド。
【発明の詳細な説明】
【技術分野】
【０００１】
本発明は、ファン又は扇風機組立体に関する。特に、本発明は、部屋、オフィス又は他の家庭環境において空気の循環及び送風を生じさせる家庭用ファン、例えば卓上扇風機に関する（なお、本明細書において、ファンと扇風機は、用語として区別なく用いられている）。
【背景技術】
【０００２】
従来の家庭用ファンは、典型的には、軸を中心に回転する一組の羽根又は翼と、空気流を生成するために一組の羽根を回転させるための駆動装置とを有する。空気流の動き及び循環は、風速冷却又はそよ風を精製し、その結果、使用者は対流および蒸発によって熱が発散されるので、冷却効果を得られる。
【０００３】
かかるファンは、種々の寸法形状で入手できる。例えば、天井ファンは、直径が少なくとも１ｍの場合があり、通常、天井から吊り下げられた状態で取り付けられていて、下向きの空気流を生じさせ、それにより部屋を冷やすようになっている。他方、卓上ファンは、直径が約３０ｃｍの場合が多く、通常は自立型且つ携帯可能である。他形式のファンは、床に取り付け可能であり又は壁に設置できる。米国意匠特許第１０３，４７６号明細書及び米国特許第１，７６７，０６０号明細書に開示されているファンは、机又はテーブル上に立てて置くのに適している。
【０００４】
この種の構成の欠点は、回転翼又は羽根により生じる空気流が一般的に言って一様ではないということにある。これは、ファンの羽根表面又は外方に向いた表面全体におけるばらつきに起因している。これらばらつきの程度は、製品毎に様々な場合があり、１つの個別ファンヒータと別の個別ファンヒータとでも異なる場合がある。これらのばらつきの結果として、むらのある又は「風向きの変わりやすい」空気流が発生し、かかる空気流は、空気の一連のパルスとして感じられる場合があると共にユーザにとって不快な場合がある。もう１つの欠点は、ファンにより生じる冷却効果がユーザからの距離につれて減少することにある。このことは、ユーザがファンの冷却効果を体験するにはファンをユーザに近接して配置しなければならないということを意味している。
【０００５】
ファンの出口を回転させて空気流が部屋の広い領域にわたってスイープ（弧を描いて放出）されるようにするために揺動又は首振り機構体が採用される場合がある。揺動機構体は、ユーザの感じる空気流の質及び一様性を幾分改良することができるが、特徴的な「風向きの変わりやすい」空気流が生じることに変わりはない。
【０００６】
例えば上述したファンをユーザの近くに配置することは、ファンの形状及び構造が嵩張っていることがユーザの作業空間領域の相当な部分がファンによって占められるのでいつでも可能であるというわけではない。
【０００７】
ファンの中には、ユーザに空気をファンから放出する方向を調節するオプションを提供する例えば米国特許第５，６０９，４７３号明細書に記載されているようなファンがある。米国特許第５，６０９，４７３号明細書の開示内容によれば、ファンは、ベース及び各々がベースのそれぞれ対応の端部から直立した１対のヨークを有している。ファンの外側本体は、モータ及び１組の回転翼又は羽根を収容している。外側本体は、ベースに対して回動可能であるようにヨークに固定されている。ファン本体は、ベースに対して、全体として垂直の非傾動位置から傾斜した傾動位置まで揺動可能である。このように、ファンから放出される空気流の方向を変えることができる。
【先行技術文献】
【特許文献】
【０００８】
【特許文献１】米国意匠特許第１０３，４７６号明細書
【特許文献２】米国特許第１，７６７，０６０号明細書
【特許文献３】米国特許第５，６０９，４７３号明細書
【発明の概要】
【発明が解決しようとする課題】
【０００９】
かかるファンでは、ベースに対するファンの本体の位置を固定するために固定機構体を採用するのが良い。固定機構体は、特に老人又は不器用なユーザにとって使用するのが困難な場合があるクランプ又は手動止めねじを有する場合がある。
【００１０】
家庭環境では、電気器具は、スペースの制約によりできるだけ小型且つコンパクトであることが望ましい。これとは対照的に、ファン調節機構体は、嵩張っている場合が多く、しかも、ファン組立体の外面に取り付けられ、かかるファン調節機構体は、この外面から延びている場合が多い。かかるファンがデスク上に配置されると、調節機構体のフットプリントは、事務処理、コンピュータ又は他のオフィス機器に使える領域を減少させる場合があるので望ましくない。加うるに、電気器具の幾つかの部品が外方に突き出ることは、安全上の理由とかかる部品のクリーニングが困難な場合があるとの理由の両方で望ましくない。
【課題を解決するための手段】
【００１１】
第１の観点において、本発明は、送風を生じさせるファン組立体であって、スタンドに取り付けられた空気出口を有し、スタンドは、ベースと、ベースに対して非傾動位置から傾動位置に傾動可能な本体とを有し、ベース及び本体の各々は、外面を有し、外面は、本体が非傾動位置にあるとき、外面の隣り合う部分が互いに実質的に面一をなすよう形作られていることを特徴とするファン組立体を提供する。
【００１２】
これにより、スタンドに非傾動位置にあるときにこざっぱりとしていて且つ一様な外観を与えることができる。この種のごちゃごちゃしていないですっきりとした外観は、望ましく、ユーザ又は顧客にアピールする場合が多い。面一部分は又、ベース及び本体の外面を迅速且つ容易に拭き取ってきれいにすることができるという利点を有する。
【００１３】
本体は、好ましくは、ベースに対して非傾動位置から傾動位置に傾動可能である。これにより、例えば本体をベースに対して傾動位置と非傾動位置との間で押し又は引くことにより本体をベースに対して容易に動かすことができる。
【００１４】
好ましくは、スタンドは、ベースと本体との間に位置するインターフェイスを有し、インターフェイスに隣接して位置するベース及び本体の外面は、実質的に同一のプロフィールを有する。インターフェイスは、好ましくは、湾曲した、より好ましくは起伏のある外周部を有する。ベース及び本体の向かい合った表面は、好ましくは、同じ形をなして湾曲している。ベースは、好ましくは、湾曲した上面を有し、本体は、好ましくは、同じ形をなして湾曲した上面を有する。例えば、ベースの上面は、凸状であるのが良く、本体の下面は、凹状であるのが良い。
【００１５】
好ましい実施形態では、ベース及び本体の外面は、実質的に同一のプロフィールを有する。例えば、ベース及び本体の外面のプロフィールは、実質的に、円形、楕円形又は多面体であるのが良い。
【００１６】
スタンドは、好ましくは、本体をベース上に保持するインターロック手段を有する。インターロック手段は、好ましくは、本体が非傾動位置にあるとき、ベース及び本体の外面によって包囲され、その結果、スタンドがそのこざっぱりとしていて且つ一様な外観を保つようになる。したがって、第２の観点では、本発明は、送風を生じさせるファン組立体であって、スタンドに取り付けられた空気出口を有し、スタンドは、ベースと、ベースに対して非傾動位置から傾動位置に傾動可能な本体と、本体をベース上に保持するインターロック手段とを有し、インターロック手段は、好ましくは、本体が非傾動位置にあるとき、ベース及び本体の外面によって包囲されることを特徴とするファン組立体を提供する。
【００１７】
スタンドは、インターロック手段を互いに押圧して傾動位置からの本体の運動に抵抗する手段を有する。ベースは、好ましくは、本体を支持する複数個の支持部材を有し、これら支持部材も又、本体が非傾動位置にあるとき、ベース及び本体の外面によって包囲される。各支持部材は、好ましくは、本体を支持する転動要素を有し、本体は、転動要素を受け入れる複数個の湾曲したレースを有し、転動要素は、本体を非傾動位置から傾動位置に動かすと、これら湾曲レース内で動く。
【００１８】
インターロック手段は、好ましくは、ベースに設けられた第１の複数個のロック部材と、本体に設けられた第２の複数個のロック部材とを有し、第２の複数個のロック部材は、第１の複数個のロック部材によって保持される。ロック部材の各々は、好ましくは、実質的にＬ字形である。ロック部材は、好ましくは、好ましくは湾曲したインターロックフランジを有する。ベースのロック部材のフランジの曲率は、好ましくは、本体のインターロック部材のフランジの曲率と実質的に同一である。これは、インターロックフランジ相互間に生じ、傾動位置からの本体の運動を止めるよう作用する摩擦力を最大にすることができる。
【００１９】
好ましい実施形態では、ファン組立体の重心は、本体が完全傾動位置にあるとき、ベースのフットプリントの外部には位置せず、それにより、ファン組立体が使用中にひっくり返る恐れが減少する。スタンドは、好ましくは、完全傾動位置を越えるベースに対する本体の運動を阻止する手段を有する。運動阻止手段は、好ましくは、本体が完全傾動位置にあるとき、本体から垂下していて、ベースの一部に係合する停止部材を含む。好ましい実施形態では、停止部材は、完全傾動位置を越えるベースに対する本体の運動を阻止するようインターロック手段の一部、好ましくは、ベースのインターロック部材のフランジに係合するよう配置されている。
【００２０】
ファン組立体は、好ましくは、羽根なしファン組立体の形態をしている。羽根なしファン組立体の使用により、羽根付きファンを用いないで送風を生じさせることができる。空気の流れをファン組立体から放出するための羽根付きファンを用いない場合、比較的一様な空気の流れを発生させて室内又はユーザに向かって案内することができる。空気の流れは、効率的に出口から出て行くことができ、失われるエネルギー及び速度が僅かであり、その結果、乱流が殆ど生じない。
【００２１】
「羽根なし」という用語は、可動羽根を用いないで空気流をファン組立体から前方に放出し又は送り出すファン組立体を形容するために用いられている。それ故、羽根なしファン組立体は、空気流をユーザの方へ又は室内へ差し向ける可動羽根のない出力領域又は放出ゾーンを有するものであると考えることができる。羽根なしファン組立体の出力領域には、多種多様な源、例えば各種ポンプ、各種発生器、各種モータ又は各種流体輸送装置、例えばモータロータ及び（又は）空気流を発生させる羽根付きインペラのうちの１つによって生じる一次空気流を供給することができる。生じた一次空気流は、ファン組立体の外部に位置する室内空間又は他の環境からファン組立体に入り、そして出口を通って室内空間に送り出されて戻ることができる。
【００２２】
それ故、ファン組立体を羽根なしとして説明することは、動力源及び例えば補助ファン機能に必要なコンポーネント、例えばモータの説明にまで及ぶものではない。補助ファン機能の例としては、ファン組立体の照明、調節及び揺動が挙げられる。
【００２３】
スタンドは、好ましくは、ファン組立体中に空気流を生じさせる手段を有する。好ましくは、ファン組立体中を通る空気流を生じさせる手段は、羽根車及び羽根車を回転させるモータを有し、好ましくは更に、羽根車から下流側に設けられたディフューザを有する。羽根車は、好ましくは、混流型羽根車である。モータは、好ましくは、摩擦損失及び伝統的なブラシ付きモータで用いられているブラシからのカーボンデブリを回避するためにＤＣブラシレスモータである。カーボンデブリ及び排出物を減少させることは、清浄な又は汚染物に敏感な環境、例えば病院又はアレルギーのある人の周りでは有利である。一般にペデスタルファンに用いられる誘導モータも又、ブラシを備えていないが、ＤＣブラシレスモータは、誘導モータよりも非常に広い動作速度範囲を提供することができる。
【００２４】
ファン組立体中を通る空気流を生じさせる手段は、好ましくは、スタンドの本体内に配置される。空気流を生じさせる手段のコンポーネント、特にモータの重量は、本体が傾動位置にあるとき、本体をベース上に安定化させるよう働くことができる。本体は、好ましくは、少なくとも１つの空気入口を有し、空気は、空気流を生じさせる手段によってこの空気入口を通ってファン組立体中に引き込まれる。
【００２５】
ベースは、好ましくは、ファン組立体を制御する制御手段を有する。安全上の理由及び使用しやすくするために、制御要素をノズルから遠ざけて配置して傾動作動中に、例えば揺動、傾動、照明又は速度設定の起動のような制御機能を作動させないようにすることが有利な場合がある。
【００２６】
空気出口は、好ましくは、スタンドに取り付けられたノズルから成り、ノズルは、空気流を放出する口を有し、ノズルは、ノズルの外部から空気を口から放出された空気流によって引き込むように通す開口部周りに延びている。好ましくは、ノズルは、開口部を包囲する。ノズルは、環状ノズルであるのが良く、このノズルの高さは、好ましくは、２００〜６００ｍｍ、より好ましくは２５０〜５００ｍｍである。
【００２７】
好ましくは、ノズルの口は、開口部周りに延び、かかる口は、好ましくは環状である。ノズルは、好ましくは、内側ケーシング区分及び外側ケーシング区分を有し、これらケーシング区分は、ノズルの口を構成する。各区分は、好ましくは、それぞれ対応の環状部材で作られるが、各区分は、その区分を形成するよう互いに連結され又は違ったやり方で組み立てられた複数個の部材によって構成されるのが良い。外側ケーシング区分は、好ましくは、内側ケーシング区分と部分的にオーバーラップするよう形作られる。これにより、ノズルの内側ケーシング区分の外面とノズルの外側ケーシング区分の内面の互いにオーバーラップした部分相互間に口（マウス）の出口を構成することができる。出口は、好ましくは、幅が好ましくは０．５〜５ｍｍ、より好ましくは０．５〜１．５ｍｍのスロットの形態をしている。ノズルは、ノズルの内側ケーシング区分及び外側ケーシング区分の互いにオーバーラップした部分を互いに押し離す複数のスペーサを有するのが良い。これは、口部の周りに実質的に一様な出口幅を維持するのを助けることができる。スペーサは、好ましくは、出口に沿って等間隔に設けられる。
【００２８】
ノズルは、好ましくは、スタンドから空気流を受け入れる内部通路を有する。内部通路は、好ましくは環状であり、好ましくは、空気流を開口部周りに互いに逆方向に流れる２つの空気部分流に分割するよう形作られている。また、内部通路は、好ましくは、ノズルの内側ケーシング区分及び外側ケーシング区分で構成されている。
【００２９】
ファン組立体は、好ましくは、送風を円弧にわたり、好ましくは６０°〜１２０°にわたりスイープさせるようノズルを揺動させる手段を有する。例えば、スタンドのベースは、本体が連結された上側ベース部材を下側ベース部材に対して揺動させる手段を有するのが良い。
【００３０】
ファン組立体により生じる送風の最大空気流量は、好ましくは、毎秒３００〜８００リットルであり、より好ましくは毎秒５００〜８００リットルである。
【００３１】
ノズルは、口に隣接して位置するコアンダ（Coanda）面を有するのが良く、口は、この口から放出される空気流をかかるコアンダ面上でこれに沿って差し向けるよう配置されている。好ましくは、ノズルの内側ケーシング部分の外面は、コアンダ面を形成する。コアンダ面は、好ましくは、開口部の周りに延びる。コアンダ面は、表面に近接して位置する出力オリフィスを出た流体の流れがコアンダ効果を呈するようにする既知形式の表面である。流体は、表面上をこれに沿って密接し、ほぼ「くっついて」又は「貼りついて」流れようとする。コアンダ効果は、一次空気流をコアンダ面上でこれに沿って差し向ける既に証明されて調べが良くついている同伴方法である。コアンダ面の特徴及びコアンダ面上の流体の流れの効果に関する説明は、レバ（Reba）著，「サイエンティフィック・アメリカン（Scientific American）」，第２１４巻，１９６６年６月，ｐ．８４〜９２の論文に見られる。コアンダ面の利用により、ファン組立体の外部からの増加した量の空気が、口から放出される空気によって開口部を通って引き込まれる。
【００３２】
好ましくは、空気流は、スタンドからファン組立体のノズルに入る。以下の説明において、この空気流を一次空気流と称する。一次空気流は、ノズルの口から放出され、好ましくは、この一次空気流は、コアンダ面上をこれに沿って流れる。一次空気流は、ノズルの口の周りの空気を同伴し、これは、一次空気流と同伴空気の両方をユーザに送る空気増量手段（air amplifier ）としての役目を果たす。かかる同伴空気を本明細書では二次空気流と称する。二次空気流は、ノズルの口の周りの室内空間、領域又は外部環境から引き込まれると共に押し退けによりファン組立体の周りの他の領域から引き込まれ、かかる二次空気流は、主として、ノズルによって構成された開口部を通過する。コアンダ面上でこれに沿って差し向けられた一次空気流と同伴二次空気流との組み合わせにより、ノズルにより構成された開口部から前方に放出され又は送り出される全空気流が得られる。好ましくは、ノズルの口の周りの空気の同伴は、主要空気流量が少なくとも５倍になり、より好ましくは少なくとも１０倍になり、他方、滑らかな全体的出力が維持されるようなものである。
【００３３】
好ましくは、ノズルは、コアンダ面の下流側に設けられたディフューザ面を有する。ノズルの内側ケーシング区分の外面は、好ましくは、ディフューザ面を構成するよう形作られる。
【００３４】
第３の観点では、本発明は、ファン組立体用のスタンドであって、ベースと、ベースに対して傾動可能な本体とを有し、ベース及び本体は各々、外面を有し、外面は、本体が非傾動位置にあるとき、外面の隣り合う部分が互いに実質的に面一をなすよう形作られていることを特徴とするスタンドを提供する。第４の観点では、本発明は、スタンドであって、ベースと、ベースに対して非傾動位置から傾動位置に傾動可能な本体と、本体をベース上に保持するインターロック手段とを有し、インターロック手段は、本体が非傾動位置にあるとき、ベース及び本体の外面によって包囲されることを特徴とするスタンドを提供する。
【００３５】
本発明の第１及び第２の観点と関連して上述した特徴は、本発明の第３及び第４の観点の各々に同じように適用でき、又その逆の関係が成り立つ。
【００３６】
次に、添付の図面を参照して、本発明の一実施形態を説明する。
【図面の簡単な説明】
【００３７】
【図１】ファン組立体の正面図である。
【図２】図１のファン組立体のノズルの斜視図である。
【図３】図１のファン組立体の断面図である。
【図４】図３の一部の拡大図である。
【図５（ａ）】図１のファン組立体の側面図であり、ファン組立体を非傾動位置で示す図である。
【図５（ｂ）】図１のファン組立体の側面図であり、ファン組立体を第１の傾動位置で示す図である。
【図５（ｃ）】図１のファン組立体の側面図であり、ファン組立体を第２の傾動位置で示す図である。
【図６】図１のファン組立体の上側ベース部材の平面側斜視図である。
【図７】図１のファン組立体の本体の背面側斜視図である。
【図８】図７の本体の分解組立て図である。
【図９（ａ）】ファン組立体が非傾動位置にあるときのベースに対する２つの断面の取り方を示す図である。
【図９（ｂ）】図９（ａ）のＡ‐Ａ線矢視断面図である。
【図９（ｃ）】図９（ａ）のＢ‐Ｂ線矢視断面図である。
【図１０（ａ）】ファン組立体が非傾動位置にあるときのスタンドに対する別の２つの断面の取り方を示す図である。
【図１０（ｂ）】図１０（ａ）のＣ‐Ｃ線矢視断面図である。
【図１０（ｃ）】図１０（ａ）のＤ‐Ｄ線矢視断面図である。
【発明を実施するための形態】
【００３８】
図１は、ファン組立体１０の正面図である。ファン組立体１０は、好ましくは、スタンド１２と、スタンド１２に取り付けられると共にこれによって支持されたノズル１４とを有する羽根なしファン組立体の形態をしている。スタンド１２は、実質的に円筒形の外側ケーシング１６を有し、この外側ケーシングは、外側ケーシング１６に設けられている孔の形態をした複数個の空気入口１８を有し、一次空気流は、外部環境からこれら空気入口を通ってスタンド１２内に引き込まれる。スタンド１２は、ファン組立体１０の動作を制御する複数個のユーザにより操作可能なボタン２０及びユーザにより操作可能なダイヤル２２を更に有している。この例では、スタンド１２の高さは、２００〜３００ｍｍであり、外側ケーシング１６の外径は、１００〜２００ｍｍである。
【００３９】
更に図２を参照すると、ノズル１４は、環状の形をしており、このノズルは、中央開口部２４を画定又は構成している。ノズル１４の高さは、２００〜４００ｍｍである。ノズル１４は、ファン組立体１０の後部寄りに設けられていて、空気をファン組立体１０から開口部２４を通って放出する口（マウス）２６を有している。口２６は、開口部２４周りに少なくとも部分的に延びている。ノズル１４の内周部は、口２６に隣接して設けられたコアンダ面２８を有し、口２６は、ファン１０から放出された空気をコアンダ面２８上でこれに沿って差し向け、ノズル１４の内周部は更に、コアンダ面２８の下流側に位置するディフューザ面３０及びディフューザ面３０の上流側に位置する案内面３２を有している。ディフューザ面３０は、ファン組立体１０から放出される空気の流れを助けるために開口部２４の中心軸線Ｘから遠ざかってテーパするよう配置されている。ディフューザ面３０と開口部２４の中心軸線Ｘとのなす角度は、５°〜２５°であり、この例では約１５°である。案内面３２は、ファン組立体１０からの冷却用空気流の効率的な送り出しを一段と助けるようディフューザ面３０に対して角度をなして配置されている。案内面３２は、好ましくは、実質的に平らで且つ実質的に滑らかなフェースを口２６から放出された空気流に提供するよう開口部２４の中心軸線Ｘに実質的に平行に配置されている。見栄えの良いテーパ付き表面３４が、案内面３２から見て下流側に設けられており、開口部２４の中心軸線Ｘに実質的に垂直に位置する先端面３６で終端している。テーパ面３４と開口部２４の中心軸線Ｘとのなす角度は、好ましくは約４５°である。開口部２４の中心軸線Ｘに沿って延びる方向におけるノズル２４の全深さは、１００〜１５０ｍｍであり、この例では、約１１０ｍｍである。
【００４０】
図３は、ファン組立体１０の断面図である。スタンド１２は、下側ベース部材３８及び下側ベース部材３８に取り付けられた上側ベース部材４０で形成されたベースと、ベースに取り付けられた本体４２とで形成されている。かくして、図１及び図５に示されているように、本体４２とベースとの間にはインターフェイスＩが形成されている。インターフェイスＩは、湾曲した、好ましくは起伏のある外周部を有する。かくして、少なくともインターフェイスに隣接して位置するベース及び本体４２の外面は、実質的に同一のプロフィールを有し、この実施形態では、円形のプロフィールを有する。
【００４１】
下側ベース部材３８は、実質的に平らな底面４３を有している。上側ベース部材４０は、図１及び図２に示されたユーザにより操作可能なボタン２０の押し下げ及び／又はユーザにより操作可能なダイヤル２２の操作に応答してファン組立体１０の動作を制御するコントローラ４４を収容している。上側ベース部材４０は、上側ベース部材４０及び本体４２を下側ベース部材３８に対して揺動させる揺動機構体４６を更に収容するのが良い。本体４２の各揺動サイクルの範囲は、好ましくは６０°〜１２０°であり、この例では、約９０°である。この例では、揺動機構体４６は、毎分約３〜５回の揺動サイクルを実施するよう構成されている。電源ケーブル４８が、電力をファン組立体１０に供給するために下側ベース部材３８に形成された孔を貫通している。
【００４２】
スタンド１２の本体４２は、ノズル１４が例えばスナップ嵌め連結方式で連結された開放上端部を有する。本体４２は、スタンド１２の空気入口１８を構成するよう孔のアレイが形成された円筒形グリル５０を有している。
【００４３】
本体４２は、グリル５０の孔を通って主要空気流量をスタンド１２中に引き込むための羽根車５２を収容している。好ましくは、羽根車５２は、混流型羽根車の形態をしている。羽根車５２は、モータ５６から外方に延びる回転シャフト５４に連結されている。この例では、モータ５６は、ダイヤル２２のユーザによる操作に応答して速度がコントローラ４４によって変化するＤＣブラシレスモータである。モータ５６の最大速度は、好ましくは、５，０００〜１０，０００ｒｐｍである。モータ５６は、モータバケット内に収容され、このモータバケットは、上側部分５８を下側部分６０に連結したものである。
【００４４】
モータバケットの上側部分５８及び下側部分６０のうちの一方は、螺旋羽根を備えた静止円板の形態をしていて、羽根車５２から見て下流側に配置されたディフューザ６２を有する。
【００４５】
モータバケットは、羽根車ハウジング６４内に配置されると共にこれに取り付けられている。羽根車ハウジング６４は、スタンド１２の本体４２内に配置されている複数個の角度間隔を置いた支持体６６、この例では３つの支持体に取り付けられている。全体として切頭円錐形のシュラウド６８が、羽根車ハウジング６４内に設けられている。シュラウド６８は、羽根車５２の外縁部がシュラウド６８の内面に密接するが、これには接触しないよう形作られている。実質的に環状の入口部材７０が、一次空気流を羽根車ハウジング６４内に案内するために羽根車ハウジング６４の底部に連結されている。好ましくは、スタンド１２は、スタンド１２から出る騒音を減少させる消音化フォームを更に有する。この例では、スタンド１２の本体４２は、本体４２のベース寄りに配置された円板形フォーム部材７２及びモータバケット内に配置された実質的に環状のフォーム部材７４を有している。
【００４６】
図４は、ノズル１４の断面図である。ノズル１４は、環状の外側ケーシング区分８０を有し、この外側ケーシング区分は、環状の内側ケーシング区分８２に連結された状態でこの周りに延びている。これら区分の各々は、複数個の互いに連結された部品で形成されても良いが、この実施形態では、外側ケーシング区分８０及び内側ケーシング区分８２の各々は、それぞれ単一の成形部品で作られている。内側ケーシング区分８２は、ノズル１４の中央開口部２４を構成し、この内側ケーシング区分は、コアンダ面２８、ディフューザ面３０、案内面３２及びテーパ面３４を備えるよう形作られた外周面８４を備えている。
【００４７】
外側ケーシング区分８０と内側ケーシング区分８２は一緒になって、ノズル１４の環状内部通路８６を構成している。かくして、内部通路８６は、開口部２４周りに延びている。内部通路８６は、外側ケーシング区分８０の内周面８８及び内側ケーシング区分８２の内周面９０によって画定又は構成されている。外側ケーシング区分８０は、例えばスナップ嵌め連結方式によってスタンド１２の本体４２の開放上端部に連結されると共にこれを覆っているベース９２を有する。外側ケーシング区分８０のベース９２は、一次空気流がスタンドの１２の本体４２の開放上端部からノズル１４の内部通路８６に流入するようかかる一次空気流を通す孔を有している。
【００４８】
ノズル１４の口２６は、ファン組立体１０の後部寄りに配置されている。口２６は、外側ケーシング区分８０の内周面８８及び内側ケーシング区分８２の外周面８４のそれぞれの互いにオーバーラップした又は向かい合った部分９４，９６によって画定されている。この例では、口２６は、実質的に環状であり、図４に示されているように、この口は、ノズル１４を直径方向に通る線に沿って見て実質的にＵ字形の断面を有する。この例では、外側ケーシング区分８０の内周面８８及び内側ケーシング区分８２の外周面８４の互いにオーバーラップした部分９４，９６は、口２６が一次空気流をコアンダ面２８上でこれに沿って差し向けるよう構成された出口９８に向かってテーパするよう形作られている。出口９８は、好ましくは０．５〜５ｍｍの比較的一定の幅を有する環状スロットの形態をしている。この例では、出口９８の幅は、約１．０ｍｍである。外側ケーシング区分８０の内周面８８及び内側ケーシング区分８２の外周面８４の互いにオーバーラップした部分９４，９６を互いに押し離して出口９８の幅を所望のレベルに維持するためのスペーサが口２６の周りに間隔を置いて設けられるのが良い。これらスペーサは、外側ケーシング区分８０の内周面８８か内側ケーシング区分８２の外周面８４かのいずれかと一体であるのが良い。
【００４９】
次に、図５（ａ）、図５（ｂ）及び図５（ｃ）を参照すると、本体４２は、スタンド１２のベースに対して、図５（ｂ）に示されている第１の完全傾動位置と図５（ｃ）に示されている第２の完全傾動位置との間で動くことができる。この軸線Ｘは、好ましくは、本体を図５（ａ）に示されている非傾動位置からこれら２つの完全傾動位置のうちの一方に動かすと、約１０°の角度だけ傾けられる。本体４２及び上側ベース部材４０の外面は、本体４２が非傾動位置にあるとき、本体４２及びスタンド１２のこれら外面の隣接部分が互いに実質的に面一をなすよう形作られている。
【００５０】
図６を参照すると、上側ベース部材４０は、下側ベース部材３８に取り付けられた環状下面１００、実質的に円筒形の側壁１０２及び湾曲した上面１０４を有している。側壁１０２は、複数個の孔１０６を有している。ユーザにより操作可能なダイヤル２２は、孔１０６のうちの１つから突き出ており、これに対し、ユーザにより操作可能なボタン２０は、他の孔１０６を介して接近可能である。上側ベース部材４０の湾曲した上面１０４は、形状が凹状であり、全体として鞍形であると形容できる。モータ５６から延びる電気ケーブル１１０（図３に示されている）を受け入れる孔１０８が、上側ベース部材４０の上面１０４に形成されている。
【００５１】
上側ベース部材４０は、本体４２を上側ベース部材４０上に支持する４つの支持部材１２０を更に有している。支持部材１２０は、上側ベース部材４０の上面１０４から上方に突き出ており、これら支持部材は、これらが互いに実質的に等距離を置くと共に上面１０４の中心から実質的に等距離を置いて位置するよう配置されている。第１の対をなす支持部材１２０は、図９（ａ）にＢ‐Ｂ線に沿って配置され、第２の対をなす支持部材１２０は、第１の対をなす支持部材１２０と平行である。さらに図９（ｂ）及び図９（ｃ）を参照すると、各支持部材１２０は、円筒形外壁１２２、開放上端部１２４及び閉鎖下端部１２６を有している。支持部材１２０の外壁１２２は、ボールベアリング（球状支承体）の形態の転動要素１２８を包囲している。転動要素１２８は、好ましくは、円筒形外壁１２２の半径よりも僅かに小さい半径を有し、従って、転動要素１２８は、支持部材１２０によって保持された状態でこの中で動くことができるようになっている。転動要素１２８は、支持部材１２０の閉鎖下端部１２６と転動要素１２８との間に設けられた弾性要素１３０により上側ベース部材４０の上面１０４から押し離されており、その結果、転動要素１２８の一部が支持部材１２０の開放上端部１２４を越えて突き出るようになっている。この実施形態では、弾性部材１３０は、コイルばねの形態をしている。
【００５２】
図６に戻ってこれを参照すると、上側ベース部材４０は、本体４２を上側ベース部材４０上に保持する複数本のレールを更に有している。レールは又、上側ベース部材４０に対する本体４２の運動を案内するのに役立ち、従って、本体４２を傾動位置から動かし又は傾動位置に動かしているときに、上側ベース部材４０に対する本体４２の捩り又は回転が実質的に生じないようになっている。レールの各々は、軸線Ｘに実質的に平行な方向に延びている。例えば、レールのうちの１本は、図１０（ａ）に示されたＤ‐Ｄ線に沿って位置している。この実施形態では、複数本のレールは、１対の比較的短い外側レール１４２相互間に位置した１対の比較的長い内側レール１４０を有している。さらに図９（ｂ）及び図１０（ｂ）を参照すると、内側レール１４０の各々は、逆Ｌ字形の形態の断面を有し、各内側レールは、それぞれの１対の支持部材１２０相互間に延び、上側ベース部材４０の上面１０４に連結された状態でこれから直立した壁１４４を有している。内側レール１４０の各々は、壁１４４の長さに沿って延びると共に壁１４４の頂部から隣接の外側案内レール１４２に向かって直角に突き出た湾曲フランジ１４６を更に有している。外側レール１４２の各々も又、逆Ｌ字形の形態の断面を有し、各外側レールは、上側ベース部材４０の上面に連結された状態でこれから直立した壁１４８及び壁１４８の長さに沿って延びると共に壁１４８の頂部から直角に隣接の内側案内レール１４０から突き出た湾曲フランジ１５０を有している。
【００５３】
次に図７及び図８を参照すると、本体４２は、実質的に円筒形の側壁１６０、環状の下端部１６２及び凹部を構成するよう本体４２の下端部１６２から間隔を置いて位置した湾曲ベース１６４を有している。グリル５０は、好ましくは、側壁１６０と一体である。本体４２の側壁１６０は、上側ベース部材４０の側壁１０２と実質的に同一の外径を有している。ベース１６４は、形状が凸状であり、一般に逆鞍形を有するものとして形容可能である。ケーブル１１０が本体４２のベース１６４から延びることができるようにする孔１６６がベース１６４に形成されている。２対の停止部材１６８が、ベース１６４の周囲から上方に延びている（図８に示されている）。停止部材１６８の各対は、軸線Ｘに実質的に平行な方向に延びる線に沿って位置している。複数の対をなす停止部材１６８のうちの１対の停止部材は、図１０（ａ）に示されたＤ‐Ｄ線に沿って位置している。
【００５４】
凸状チルトプレート又は傾動板１７０が、本体４２のベース１６４に連結されている。傾動板１７０は、本体４２の凹部内に配置されており、この傾動板は、本体４２のベース１６４と実質的に同一の曲率を有している。停止部材１６８の各々は、傾動板１７０の周囲に沿って設けられた複数個の孔１７２の各々からそれぞれ突き出ている。傾動板１７０は、上側ベース部材４０の転動要素１２８に係合する１対の凸状レース１７４を構成するよう形作られている。各レース１７４は、軸線Ｘに実質的に平行な方向に延びており、各レースは、図９（ｃ）に示されているように、対応のそれぞれ１対の支持部材１２０の転動要素１２８を受け入れるよう配置されている。
【００５５】
傾動板１７０は、複数個のランナを更に有し、これらランナの各々は、上側ベース部材４０のそれぞれ対応のレールの下に少なくとも部分的に配置され、かくして、そのレールと協働して本体４２を上側ベース部材４０上に保持すると共に上側ベース部材４０に対する本体４２の運動を案内するよう構成されている。かくして、ランナの各々は、軸線Ｘに実質的に平行な方向に延びている。例えば、ランナのうちの１つは、図１０（ａ）に示されたＤ‐Ｄ線に沿って位置している。この実施形態では、複数個のランナは、１対の比較的短い外側ランナ１８２相互間に位置した１対の比較的長い内側ランナ１８０を含む。さらに図９（ｂ）及び図１０（ｂ）を参照すると、内側ランナ１８０の各々は、逆Ｌ字形の形態の断面を有し、各内側ランナは、実質的に垂直の壁１８４及び壁１８４の頂部の一部から直角に且つ内方に突き出た湾曲フランジ１８６を有している。各内側ランナ１８０の湾曲フランジ１８６の曲率は、各内側レール１４０の湾曲フランジ１４６の曲率と実質的に同一である。外側ランナ１８２の各々も又、逆Ｌ字形の形態の断面を有し、各外側ランナは、実質的に垂直な壁１８８及び湾曲フランジ１９０を有し、この湾曲フランジは、壁１８８の長さに沿って延びると共に壁１８８の頂部から直角に且つ内方に突き出ている。この場合も又、各外側ランナ１８２の湾曲フランジ１９０の曲率は、各外側レール１４２の湾曲フランジ１５０の曲率と実質的に同一である。傾動板１７０は、ケーブル１１０を受け入れる孔１９２を更に有している。
【００５６】
本体４２を上側ベース部材４０に連結するために、傾動板１７０を図７及び図８に示された向きから逆さまにし、傾動板１７０のレース１７４を上側ベース部材４０の支持部材１２０の真後ろにこれと一線をなして配置する。本体４２の孔１６６を通って延びている電気ケーブル１１０を傾動板１７０及び上側ベース部材４０のそれぞれの孔１０８，１９２に通し、次に図３に示されているようにコントローラ４４に接続するのが良い。次に、傾動板１７０を上側ベース部材４０上でこれに沿って滑らせて転動要素１２８が図９（ｂ）及び図９（ｃ）に示されているようにレース１７４に係合するようにし、各外側ランナ１８２の湾曲フランジ１９０が図９（ｂ）及び図１０（ｂ）に示されているようにそれぞれの外側レール１４２の湾曲フランジ１５０の下に配置し、各内側ランナ１８０の湾曲フランジ１８６を図９（ｂ）、図１０（ｂ）及び図１０（ｃ）に示されているようにそれぞれの内側レール１４０の湾曲フランジ１４６の下に配置するようにする。
【００５７】
傾動板１７０を上側ベース部材４０上の中央に位置決めした状態で、本体４２を傾動板１７０上に下降させ、停止部材１６８が傾動板１７０の孔１７２内に配置されると共に傾動板１７０が本体４２の凹部内に収容されるようにする。次に、上側ベース部材４０及び本体４２を逆さまにし、ベース部材４０を軸線Ｘの方向に沿って変位させて傾動板１７０に設けられている第１の複数個の孔１９４ａが現われるようにする。これら孔１９４ａの各々を本体４２のベース１６４に設けられている管状突出部１９６ａに位置合わせする。セルフタッピンねじを孔１９４ａの各々にねじ込んでこれが下に位置する突出部１９６ａに入るようにし、それにより傾動板１７０を本体４２に部分的に連結する。次に、上側ベース部材４０を逆方向に変位させて傾動板１７０に設けられている第２の複数個の孔１９４ｂが現われるようにする。これら孔１９４ｂの各々も又、本体４２のベース１６４に設けられている管状突出部１９６ｂに位置合わせする。セルフタッピンねじを孔１９４ｂの各々にねじ込んでこれが下に位置する突出部１９６に入り、それにより本体４２に対する傾動板１７０の連結を完了させる。
【００５８】
本体４２を上側ベース部材４０に取り付け、下側ベース部材３８の底面４３を支持面上に位置決めすると、本体４２は、支持部材１２０の転動要素１２８によって支持される。支持部材１２０の弾性要素１３０は、本体４２を傾動させたときに、上側ベース部材４０の上面の擦りを阻止するのに十分な距離だけ転動要素１２８を支持部材１２０の閉鎖下端部１２６から押し離す。例えば、図９（ｂ）、図９（ｃ）、図１０（ｂ）及び図１０（ｃ）の各々に示されているように、本体４２の下端部１６２は、本体４２を傾動させたときに、上側ベース部材４０の上面１０４との接触が阻止されるようかかる上面から押し離される。さらに、弾性要素１３０の作用により、ランナの湾曲フランジ１８６，１９０の凹状上面がレールの湾曲フランジ１４６，１５０の凸状下面に押し付けられる。
【００５９】
本体４２を上側ベース部材４０に対して傾動させるため、ユーザは、本体４２を軸線Ｘに平行な方向に滑らせて本体４２を図５（ｂ）及び図５（ｃ）に示された完全傾動位置のうちの一方に向かって動かし、それにより転動要素１２８がレース１７４に沿って動くようにする。本体４２がいったん所望の位置になると、ユーザは、本体４２を解除し、この本体は、ランナの湾曲フランジ１８６，１９０の凹状上面と重力の作用で図５（ａ）に示された非傾動位置に向かう本体４２の運動に抵抗するよう作用するレールの湾曲フランジ１４６，１５０の凸状下面との間の接触により生じた摩擦力によって所望の位置に保持されている。本体４２の完全傾動位置は、各対の停止部材１６８のうちの１つと対応の内側レール１４０の相互当接によって定められる。
【００６０】
ファン組立体１０を作動させるため、ユーザは、スタンド１２のボタン２０のうちの適当な１つを押し、これに応答して、コントローラ４４は、モータ５６を作動させて羽根車５２を回す。羽根車５２の回転により、一次空気流が空気入口１８を通ってスタンド１２内に引き込まれる。一次空気流は、モータの速度に応じて、毎秒２０〜３０リットルであるのが良い。一次空気流は、羽根車ハウジング６４及び本体４２の開放上端部を順次通ってノズル１４の内部通路８６に入る。ノズル１４内において、一次空気流は、ノズル１４の中央開口部２４周りに互いに逆方向に進む２つの部分空気流に分割される。部分空気流は、内部通路８６を通過する際、空気は、ノズル１４の口２６に流入する。口２６内への空気流は、好ましくは、ノズル１４の開口部２４周りにおいて実質的に均等である。口２６の各区分内において、部分空気流の一部分の流れ方向が実質的に逆になる。部分空気流の一部分は、口２６のテーパ付き区分により絞られ、出口９８を通って放出される。
【００６１】
口２６から放出された一次空気流は、ノズル１４のコアンダ面２８上でこれに沿って差し向けられ、それにより外部環境からの、特に口２６の出口９８周りの領域及びノズル１４の後部周りからの空気の同伴によって二次空気流が生じる。この二次空気流は、ノズル１４の中央開口部２４を通り、ここで、二次空気流は、一次空気流と合流し、それによりノズル１４から前方に放出される全空気流又は風が生じる。モータ５６の速度に応じて、ファン組立体１０から前方に放出される空気の流れの質量流量は、毎秒最大４００リットル、好ましくは毎秒最大６００リットルになる場合があり、送風の最大速度は、２．５〜４ｍ／ｓになる場合がある。
【００６２】
ノズル１４の口２６に沿う一次空気流の均等な分布により、空気流は、ディフューザ面３０上でこれに沿って一様に流れるようになる。ディフューザ面３０により、空気流が膨張の制御された領域を通って動くようになるので空気流の平均速度が減少する。開口部２４の中心軸線Ｘに対するディフューザ面３０の比較的浅い角度により、空気流の膨張は、徐々に起こることができる。もしそうでなければ、強烈な又は迅速な広がりにより空気流は、乱れて膨張領域中に渦が生じる。かかる渦により、空気流中に生じる乱流及び関連の騒音が増大する場合があり、このことは、特に家庭用製品、例えばファンでは望ましくない場合がある。ディフューザ面３０を越えて前方に放出された空気流は、引き続き広がる傾向がある。開口部３０の中心軸線Ｘに実質的に平行に延びる案内面３２が設けられているので、空気流は一段と収斂又は集中する。その結果、空気流は、効率的にノズル１４から出て行くことができ、それによりファン組立体１０から数メートルの距離を置いたところで空気流を迅速に受けることができる。
【００６３】
本発明は、上述の詳細な説明には限定されない。当業者には変形例が明らかであろう。
【００６４】
例えば、スタンド１２は、ファン組立体以外の種々の電気器具に使用できる。ベースに対する本体４２の運動を電動化し、ユーザがボタン２０のうちの１つを押すことによって作動されても良い。
【００６５】
本発明は、以下のような態様であってもよい。
（１）送風を生じさせるファン組立体であって、スタンドに取り付けられた空気出口を有し、前記スタンドは、ベースと、前記ベースに対して非傾動位置から傾動位置に傾動可能な本体とを有し、前記ベース及び前記本体の各々は、外面を有し、前記外面は、前記本体が前記非傾動位置にあるとき、前記外面の隣り合う部分が互いに実質的に面一をなすよう形作られている、ファン組立体。
（２）前記本体は、前記ベースに対して前記非傾動位置と前記傾動位置との間で摺動可能である。
（３）前記スタンドは、前記ベースと前記本体との間に位置するインターフェイスを有し、前記インターフェイスに隣接して位置する前記ベース及び前記本体の前記外面は、実質的に同一のプロフィールを有する。
（４）前記ベース及び前記本体の前記外面は、実質的に同一のプロフィールを有する。
（５）前記空気出口は、前記スタンドに取り付けられたノズルから成り、前記ノズルは、前記空気流を放出する口を有し、前記ノズルは、前記ノズルの外部からの空気を前記口から放出された前記空気流によって引き込むよう通す開口部の周りに延びている。
（６）前記ノズルは、前記口に隣接して位置するコアンダ面を有し、前記口は、前記口から放出された前記空気流を前記コアンダ面上でこれに沿って差し向けるよう配置されている。
（７）前記ベース及び前記本体の向かい合った表面は、同じ形をなして湾曲している。
（８）ファン組立体用のスタンドであって、ベースと、前記ベースに対して傾動可能な本体とを有し、前記ベース及び前記本体は各々、外面を有し、前記外面は、前記本体が非傾動位置にあるとき、前記外面の隣り合う部分が互いに実質的に面一をなすよう形作られている、スタンド。
【符号の説明】
【００６６】
１０  ファン組立体
１２  スタンド
１４  空気出口又はノズル
２４  開口部
２６  口又はマウス
２８  コアンダ面
３０  ディフューザ面
３２  案内面
３８，４０  スタンドベース
４２  スタンド本体
４６  揺動機構体
５２  羽根車
５６  モータ
８６  内部通路
Ｉ  インターフェイス
【図１】
2011252501.tif 000003
【図２】
2011252501.tif 000004
【図３】
2011252501.tif 000005
【図４】
2011252501.tif 000006
【図５（ａ）】
2011252501.tif 000007
【図５（ｂ）】
2011252501.tif 000008
【図５（ｃ）】
2011252501.tif 000009
【図６】
2011252501.tif 000010
【図７】
2011252501.tif 000011
【図８】
2011252501.tif 000012
【図９（ａ）】
2011252501.tif 000013
【図９（ｂ）】
2011252501.tif 000014
【図９（ｃ）】
2011252501.tif 000015
【図１０（ａ）】
2011252501.tif 000016
【図１０（ｂ）】
2011252501.tif 000017
【図１０（ｃ）】
2011252501.tif 000018
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
送風を生じさせるファン組立体であって、スタンドに取り付けられた空気出口を有し、前記スタンドは、ベースと、前記ベースに対して非傾動位置から傾動位置に傾動可能な本体とを有し、ファン組立体は、前記本体を前記ベース上に保持するインターロック手段を有し、前記インターロック手段は、前記本体が非傾動位置にあるとき、前記ベース及び前記本体の外面によって包囲されるとともに、前記ベースに連結された第１の複数個のインターロックフランジと、前記本体に連結された第２の複数個のインターロックフランジとを含む、ファン組立体。
【請求項２】
前記インターロック手段を互いに押圧して前記傾動位置からの前記本体の運動に抵抗する付勢手段を有する、請求項１記載のファン組立体。
【請求項３】
前記インターロック手段は、前記ベースに設けられた第１の複数個のロック部材と、前記本体に設けられた第２の複数個のロック部材とを有し、前記第２の複数個のロック部材は、前記第１の複数個のロック部材によって保持され、前記ロック部材は、インターロックフランジを含む、請求項１または２に記載のファン組立体。
【請求項４】
前記第１の複数個のロック部材は、前記ベースの湾曲上面に連結している、請求項３に記載のファン組立体。
【請求項５】
前記ベースの前記上面は、凹状である、請求項４に記載のファン組立体。
【請求項６】
前記第２の複数個のロック部材は、前記本体の湾曲したベースに連結している、請求項３〜５のうちいずれか一に記載のファン組立体。
【請求項７】
前記本体の前記湾曲したベースは、凸状である、請求項６に記載のファン組立体。
【請求項８】
前記インターロックフランジは、湾曲している、請求項１〜７のうちいずれか一に記載のファン組立体。
【請求項９】
前記スタンドは、完全傾動位置において前記ベースを前記本体に接触させることにより、完全傾動位置を越える前記ベースに対する前記本体の運動を阻止する手段を有する、請求項１〜８のうちいずれか一に記載のファン組立体。
【請求項１０】
前記運動阻止手段は、前記本体が完全傾動位置にあるとき、前記本体から垂下していて、前記ベースの一部に係合する停止部材を含む、請求項９に記載のファン組立体。
【請求項１１】
前記停止部材は、前記インターロック手段の一部に係合して、完全傾動位置を越える前記ベースに対する前記本体の運動を阻止するように構成されている、請求項１０に記載のファン組立体。
【請求項１２】
前記停止部材は、前記第１の複数個のインターロックフランジの一つに係合するように構成されている、請求項１１に記載のファン組立体。
【請求項１３】
前記スタンドは、前記ファン組立体中に空気流を生じさせる手段を有する、請求項１〜１２のうちいずれか一に記載のファン組立体。
【請求項１４】
前記ファン組立体中に空気流を生じさせる前記手段は、前記スタンドの前記本体内に配置されている、請求項１３に記載のファン組立体。
【請求項１５】
前記本体は、前記空気流を生じさせる手段によって前記ファン組立体中に空気が引き込まれる少なくとも１つの空気入口を含む、請求項１４に記載のファン組立体。
【請求項１６】
前記スタンドの前記ベースは、前記ファン組立体を制御する制御手段を有する、請求項１〜１５のうちいずれか一に記載のファン組立体。
【請求項１７】
前記ベース及び前記本体の前記外面は、実質的に円筒形である、請求項１〜１６のうちいずれか一に記載のファン組立体。
【請求項１８】
ベースと、前記ベースに対して非傾動位置から傾動位置に傾動可能な本体と、前記本体を前記ベース上に保持するインターロック手段と、を有し、前記インターロック手段は、前記本体が非傾動位置にあるとき、前記ベース及び前記本体の外面によって包囲されるとともに、前記ベースに連結される第１の複数個のインターロックフランジと、前記本体に連結される第２の複数個のインターロックフランジと、を含む、ファン組立体用のスタンド。
【請求項１９】
前記インターロック手段を互いに押圧して前記傾動位置からの前記本体の運動に抵抗する付勢手段を有する、請求項１８記載のスタンド。
【請求項２０】
前記インターロック手段は、前記ベースに設けられた第１の複数個のロック部材と、前記本体に設けられた第２の複数個のロック部材とを有し、前記第２の複数個のロック部材は、前記第１の複数個のロック部材によって保持され、前記ロック部材は、インターロックフランジを含む、請求項１８または１９に記載のスタンド。
【請求項２１】
前記第１の複数個のロック部材は、前記ベースの湾曲上面に連結している、請求項２０に記載のスタンド。
【請求項２２】
前記ベースの前記上面は、凹状である、請求項２１に記載のスタンド。
【請求項２３】
前記第２の複数個のロック部材は、前記本体の湾曲したベースに連結している、請求項２０〜２２のうちいずれか一に記載のスタンド。
【請求項２４】
前記本体の前記湾曲したベースは、凸状である、請求項２３に記載のスタンド。
【請求項２５】
前記インターロックフランジは、湾曲している、請求項１８〜２４のうちいずれか一に記載のスタンド。
【請求項２６】
完全傾動位置において前記ベースを前記本体に接触させることにより、完全傾動位置を越える前記ベースに対する前記本体の運動を阻止する手段を有する、請求項１８〜２５のうちいずれか一に記載のスタンド。
【請求項２７】
前記運動阻止手段は、前記本体が完全傾動位置にあるとき、前記本体から垂下していて、前記ベースの一部に係合する停止部材を含む、請求項２６に記載のスタンド。
【請求項２８】
前記停止部材は、前記インターロック手段の一部に係合して、完全傾動位置を越える前記ベースに対する前記本体の運動を阻止するように構成されている、請求項２７に記載のスタンド。
【請求項２９】
前記停止部材は、前記第１の複数個のインターロックフランジの一つに係合するように構成されている、請求項２８に記載のスタンド。
【請求項３０】
前記ベース及び前記本体の前記外面は、実質的に円筒形である、請求項１８〜２９のうちいずれか一に記載のスタンド。